(57)【特許請求の範囲】
【請求項１】
前開き可能な男性用タイツのように股間部に股間部表生地及び股間部裏生地を持つ下半身衣類において、前記表生地にスリット間を折り返し可能な一対の表スリットと、前記裏生地にスリット間を一対の表スリットと逆方向に折り返し可能な一対の裏スリットと、一対の表スリット間に縫合した第１クッションを保持する第１クッションホルダーと、一対の裏スリット間に縫合した第２クッションを保持する第２クッションホルダーを備え、前記第１クッションホルダーにおいて表上スリットの根元を縫合し、前記表上スリット根元縫合部より小用開口部裏生地と縫合しない間隔を置いて、上側表上スリットと股間部裏生地を縫合し、第２クッションホルダーにおいて裏上スリット根元を縫合し、前記裏上スリット根元縫合部より表生地と縫合しない間隔を置いて、上側裏上スリットと股間部表生地を縫合していることを特徴とする男性用下半身衣類。
【請求項２】
第１クッションホルダーにおいて両方の側面にクッション挿入口を有し、第２クッションホルダーにおいて両方の側面にクッション挿入口を有する請求項１の男性用下半身衣類。
【発明の詳細な説明】
【技術分野】
【０００１】本発明はピストン運動によって男性器に刺激を与える際における、刺激可能な部分の拡大、下半身の保温、快適性の向上を可能とする下半身衣類とクッションに関するものである。
【背景技術】
【０００２】従来、ピストン運動によって男性器に刺激を与える際に刺激を補助するものは、あくまで男性器に対してのみ刺激を与えやすくするものしかなく。男性器の付け根、恥骨、鼠径部といった男性器以外の部分に刺激を与えることを目的としたものや、下半身の保温による男性機能の補助といった目的のものが提供されていなかった。
【先行技術文献】
【特許文献】
【０００３】
【特許文献１】特許公開２００７−５４５８１
【発明の概要】
【発明が解決しようとする課題】
【０００４】従来例では、男性器のみに対しての刺激を与えるものであり、男性器の付け根から鼠径部に対する刺激が考慮されておらず。また、摩擦や圧迫による刺激を与えることはできているが、振動による刺激を与えることができていない。【０００５】また、男性器をピストン運動で刺激する行為において性的な快感以外に得られるものがなく。行為の後にも残る有益な効果がないため、非生産的な行為に多くの男性の時間が費やされてしまっている。【０００６】さらに、男性器をピストン運動によって刺激する際、冬場など気温の低い時男性器以外の部分の下半身まで露出され、保温効果が失われることで性機能が低下してしまい勃起状態の維持が困難であり。また、暖房機器によって直接股間部を暖めようとした場合、温風の当たる下半身の外側のみが過剰に暖められるだけで、股間部を暖めることができず。また、軽度の熱傷を負う危険もあり、現在確実な問題解決法としては部屋全体を高い温度まで暖め維持しなければならないため経済的な面で非常に効率が悪く。【０００７】近年では男性器をピストン運動で刺激する際に性的快感を高めるためローションを用いる場面が増えているが、その際ローションが漏れて股の付近に溜まることで不快感へ繋がる場面や、周囲の物を汚してしまう問題が存在し。漏れてしまったローションを処理するには男性器をピストン運動で刺激する行為を一時中断しなければならず、ピストン運動で刺激を得る行為への集中を妨げる大きな要因となっている。【０００８】本発明は上述した課題を鑑みなされたもので、男性器をピストン運動によって刺激する際、下半身を保温し。暖房機器による下半身の側面の熱傷を防ぎ。ピストン運動による単一の行動のみで、男性器以外の性感帯。特に男性器の付け根付近から鼠径部にかけての刺激を振動による刺激を含めて可能とし。尚且つ、ローションを用いて男性器を刺激するピストン運動を行った場合、股や下腹部へ漏れるローションの処理をできる男性用下半身衣類及び本発明に用いるクッションを提供することである。
【課題を解決するための手段】
【０００９】  上述した目的を達成するため、前開き可能な男性用タイツのように股間部に股間部表生地及び股間部裏生地を持つ下半身衣類に、股間部表生地にスリット間を折り返し可能な一対の表スリットと、股間部裏生地にスリット間を一対の表スリットと逆方向に折り返し可能な一対の裏スリットと、一対の表スリット間に縫合して第１クッションを保持する第１クッションホルダーと、一対の裏スリット間に縫合して第２クッションを保持する第２クッションホルダーを設けた男性用下半身衣類に、前記クッションホルダーへ板状の弾性クッションを挿入し、スリットを折り返すことにより、股間部の第１クッションホルダー折り返し部分と第２クッションホルダー折り返し部分の間から男性器を露出して折り返したクッションを恥骨や鼠径部に宛がい密着させ、男性器を刺激するピストン運動で副次的にクッションを圧迫して男性器の付け根から鼠径部を刺激するという手段を用いた。【００１０】また、請求項２の男性用下半身衣類のように、第１クッションホルダーにおいて両方の側面にクッション挿入口を有し、第２クッションホルダーにおいて両方の側面にクッション挿入口を有するようにすることで、第１及び第２クッションホルダーへのクッションの挿入を容易に行うことができる。【００１１】    請求項１に記載のクッションホルダーでは第１クッションホルダーにおいて、表上スリットの根元を縫合し、前記表上スリット根元縫合部より小用開口部裏生地と縫合しない間隔を置いて、上側表上スリットと股間部裏生地を縫合し、第２クッションホルダーにおいて裏上スリット根元を縫合し、前記裏上スリット根元縫合部より表生地と縫合しない間隔を置いて、上側裏上スリットと股間部表生地を縫合することで、根元縫合部を立てた状態でクッションホルダーを折り返すことができるので、折り返したクッションホルダーが男性器を刺激するピストン運動で圧迫された際、クッションを挿入し折り返したクッションホルダーのクッション性を高めることができる。【００１２】    第１クッションホルダーにおいて一方の側面にクッション挿入口を有し、第２クッションホルダーにおいて一方の側面にクッション挿入口を有することで、第１及び第２クッションホルダーの縦幅を長くした場合においても、挿入したクッションを保持することができる。【００１３】    クッション一辺の幅が請求項２に記載のクッションホルダーのスリット間より短く前記クッションホルダー挿入口より広いシート状の弾性クッションを用いることで、挿入したシート状の弾性クッションが弓なりに挿入されるため男性器のピストン運動によって折り返した前記クッションが圧迫された際、弓なりの前記クッションが押し出され広がりながら折り返したクッションが恥骨周辺を圧迫することができる。
【発明の効果】
【００１４】本発明の男性用下半身衣類によれば、クッションホルダーのスリットを折り返すことで下半身に着衣した状態でも男性器を無理なく露出できるので男性器以外の下半身の保温効果を高めることができ、暖房機器の温風などで直接下半身を暖めた場合でも、温風の当たる下半身の側面だけが過剰に熱され熱傷を引き起こすことを防ぎ、下半身を広く暖めることができるため。冬場など気温の低い時にも支障なく男性器をピストン運動によって刺激することができる。【００１５】また、クッションホルダーに板状クッションを挿入した状態でスリットを折り返すことにより、板状クッションを男性器の付け根から鼠径部にかけて密着させることができ、男性器に刺激を与えるピストン運動の際に併せてクッションを圧迫することで、男性器と同時に男性器の付け根から鼠径部にかけてを単一の行為によって刺激を与えることが可能になり。【００１６】男性器を刺激するピストン運動で圧迫された折り返したクッションの摩擦及び振動によって鼠径リンパ節がマッサージできるので、性的な快感以外にもリンパマッサージによる血流促進により健康状態の改善やダイエット効果を得ることができるので、現代社会において運動不足になってしまう成人男性の生活習慣病予防につながり、医療費の増大により逼迫させられている国家財政の一助となりえる。【００１７】また、折り返したクッションホルダーと板状クッションの刺激部位との間にトイレットペーパーのように吸水性のある紙などを挟むことで、ローションを使用して男性器をピストン運動によって刺激する際に垂れたローションを処理することができる。
【図面の簡単な説明】
【００１８】
【図１】本発明の第１の実施形態に係る貫通式クッションホルダー向け板状クッションを示した斜面図
【図２】本発明の第１の実施形態に係る貫通式クッションホルダーを有する男性用下半身衣類及びクッションの未使用状態を示した正面図
【図３】本発明の第１の実施形態に係る第１貫通式クッションホルダー、第２貫通式クッションホルダー及びクッションの未使用状態を示した断面図
【図４】本発明の第１の実施形態に係る第１貫通式クッションホルダー及び第２クッションホルダーの縫合方法について示した正面図
【図５】本発明の第１の実施形態係る貫通式クッションホルダーを有する男性用下半身衣類及び貫通式向けクッションの使用状態を示した正面図
【図６】本発明の第１の実施形態に係る貫通式クッションホルダーを有する男性用下半身衣類及び貫通式向けクッションにおける当て布を用いた使用状態を示した斜面図
【図７】袋状クッションホルダーを有する男性用下半身衣類における当て布を用いた使用状態を示した斜面図
【図８】本発明の第２の実施形態に係るクッションホルダーを示した正面図
【図９】本発明の第２の実施形態に係る男性用下半身衣類を裏返したクッションホルダーを示した正面図
【発明を実施するための形態】
【００１９】以下、本発明の好ましい実施の形態を添付した図面に従って説明する。図１は、本発明の第１の実施形態に係る貫通式クッションホルダー向けクッション１を示したものであり、貫通式クッションホルダー向けクッション１は、シリコンゴムのように弾力性のある素材を用いて形成した長方形の板の片面全体にイボ状の突起物２を形成したものであり、ここでは短辺ａの長さが６．５ｃｍ、長辺ｂの長さが１４ｃｍであるものとする。
【００２０】図２は、本発明の第１の実施形態に係る貫通式クッションホルダーを有する男性用下半身衣類における未使用状態の正面図であり、前述の貫通式クッションホルダー向けクッション１がイボ状の突起物２を外側に向け挿入された状態を示している。また、図３は、同様の未使用状態における貫通式クッションホルダーの断面図である。図２、３が示すように、本発明の第１の実施形態における男性用下半身衣類は、股間部に小用開口部を形成する小用開口部表生地３及び小用開口部裏生地４を持つ男性用タイツや男性用スパッツなどの前開き可能な密着性の高い男性用下半身衣類５を用い、小用開口部表生地３に前立てから貫通式用クッションカバー６の上下の縁を前立ての下部から縫合し、前立てから貫通式用クッションカバー６幅の一対のスリットをを切り込んだ第１貫通式クッションホルダー７を設け、同様に小用開口部裏生地に前立てから貫通式用クッションカバー６の上下の縁を縫合し、前立てから貫通式クッションカバー６幅の一対のスリットを切り込んだ第２貫通式クッションホルダー８を形成した男性用下半身衣類である。
【００２１】また、図４は、第１の実施形態における貫通式クッションホルダーの縫合について示した正面図であり、小さい長方形は縫合部を示している。以下は図４を参照して、より具体的に第１の実施形態における男性用下半身衣類の構成について説明する。貫通式クッションホルダーにおける貫通式用クッションカバー６は、貫通式用クッションカバー６の縦幅ｃがクッションの短辺ａより１ｃｍ長いもので、貫通式用クッションカバーの横幅をクッションの長辺ｂの８割程度の長さとしている。また、第１貫通式クッションホルダー上縁縫合部９から第１貫通式クッションホルダー下縁縫合部１０までの幅と、第２貫通式クッションホルダー上縁縫合部１１から第２貫通式クッションホルダー下縁縫合部１２の幅はクッションの短辺ａより１ｃｍ短くして、１ｃｍ幅の第１貫通式クッションホルダー上縁１３及び第１貫通式クッションホルダー下縁１４と、第２貫通式クッションホルダー上縁１５及び第２貫通式クッションホルダー下縁１６を形成したものであり、貫通式クッションホルダーにクッションを挿入した際クッションホルダーに前記板状クッションが僅かに弓なりの状態で挿入されるものである。
【００２２】さらに、前記実施形態において、貫通式クッションホルダー表下スリット１７は、小用開口部表生地前立て下部の付け根１８より小用開口部右側面縫合部１９から小用開口部左側面縫合部２０までの中心より５ｍｍ深く小用開口部表生地３を真横に切り込んだもので、同様に、貫通式クッションホルダー裏下スリット２１は、小用開口部裏生地前立て下部の付け根より小用開口部右側面縫合部１９から小用開口部左側面縫合部２０までの中心より５ｍｍ深く小用開口部裏生地４を真横に切り込んでいる。
【００２３】また、貫通式クッションホルダー表上スリット２２は、前記表下スリット１７より上部に貫通式用クッションカバー６の縦幅ｃを置き、小用開口部表生地前立てから小用開口部中心までを、前記表下スリット１７と平行となるよう切り込み、貫通式クッションホルダー表上スリット２２上側の小用開口部表生地３と第１クッションホルダー上縁１３の第１クッションホルダー上縁縫合部９までを前記表上スリット２２根元から前記表上スリット２２にかけて、隙間なく１ｃｍ縫合して貫通式クッションホルダー表上スリット根元縫合部２３を形成しており。この際、貫通式クッションホルダー表上スリット根元縫合部２３の上端が、貫通式クッションホルダー表上スリット２２より、１ｃｍ上部で揃えて小用開口部表生地３と縫合されていることが好ましい。
【００２４】同様にして、貫通式クッションホルダー裏上スリットｇは、前記裏下スリット２１より上部に貫通式用クッションカバー６の縦幅ｃを置き、小用開口部裏生地前立てから小用開口部中心までを、前記裏下スリット２２と平行となるよう切り込み、貫通式クッションホルダー裏上スリットｇ上側の小用開口部裏生地４と第２クッションホルダー上縁１５の第２クッションホルダー上縁縫合部１１までを前記裏上スリットｇ根元から前記裏上スリットｇにかけて、隙間なく１ｃｍ縫合し貫通式クッションホルダー裏上スリット根元縫合部２４を形成したものである。また、貫通式クッションホルダー裏上スリット根元縫合部２４の上端は、貫通式クッションホルダー裏上スリットｇより、１ｃｍ上部で揃えて小用開口部裏生地４と縫合されていることが好ましい。
【００２５】また、前記表上スリット２２上部の前立て２５は、前記表上スリット２２を切り込む以前の位置に小用開口部裏生地４と縫い合わせ貫通式クッションホルダー表上スリット上部前立て縫合部２６を形成し、同様にして、貫通式クッションホルダー裏上スリットｇ上部の前立てを、前記裏上スリットｇを切り込む以前の位置に小用開口部表生地３と縫い合わせ、第１貫通式クッションホルダー左上に貫通式クッションホルダー裏上スリット上部前立て縫合部２７を形成している。
【００２６】また、前記表上スリット上部前立て２５から、第２貫通式クッションホルダー上縁１５の上端と貫通式クッションホルダー表上スリット２２上側における下端を小用開口部裏生地４を含めて小用開口部の中心の１．５ｃｍ手前までを縫合し、第２貫通式クッションホルダー上端縫合部２８を形成し、貫通式クッションホルダー裏上スリットｇ上部前立てから、第１貫通式クッションホルダー上縁１３の上端と貫通式クッションホルダー裏上スリットｇ上側における下端を小用開口部表生地を含めて小用開口部の中心の１．５ｃｍ手前までを縫合し、第１貫通式クッションホルダー上端縫合部２９を形成したものである。
【００２７】また、小用開口部左側面縫合部２０から第１貫通式クッションホルダー下縁１４下端と前記裏下スリット２１下側の小用開口部裏生地４及び小用開口部表生地３を１．５ｃｍ縫合して第１貫通式クッションホルダー下端縫合部３０を形成し。同様に、小用開口部右側縫合部１９から第２貫通式クッションホルダー下縁１６下端と前記表下スリット下側の小用開口部表生地３及び小用開口部裏生地４を１．５ｃｍ縫合して第２貫通式クッションホルダー下端縫合部３１を形成している。
【００２８】さらに、第１貫通式クッションホルダー７及び第２貫通式クッションホルダー８の上端より上部へ１．５ｃｍと２ｃｍの間隔を置いて貫通式クッションホルダー表上スリット上部前立て２５と小用開口部裏生地前立ての間を真横に小用開口部表生地３と小用開口部裏生地４をそれぞれ縫合し貫通式クッションホルダー上方縫合部３２を形成したものであり。第１貫通式クッションホルダー７及び第２貫通式クッションホルダー８の下端より１ｃｍと１．５ｃｍの間隔を置いて、小用開口部表生地３及び小用開口部裏生地４を小用開口部右側面縫合部１９と小用開口部左側面縫合部２０の間を真横にそれぞれ縫合し、貫通式クッションホルダー下方縫合部３３を形成した男性用下半身衣類である。
【００２９】また、第１貫通式クッションホルダー７を縫合する際は、まず第１貫通式クッションホルダー上縁縫合部９及び第１貫通式クッションホルダー下縁縫合部１０、貫通式クッションホルダー表上スリット根元縫合部２３、第１貫通式クッションホルダー上端縫合部２９及び第１貫通式クッションホルダー下端縫合部３０の順序で縫合し、第２貫通式クッションホルダー８においても、同様に第２貫通式クッションホルダー上縁縫合部１１及び第２貫通式クッションホルダー下縁縫合部１２、貫通式クッションホルダー裏上スリット根元縫合部２４、第２貫通式クッションホルダー上端縫合部２８及び第２貫通式クッションホルダー下端縫合部３１の順に縫合した後に、貫通式クッションホルダー表上スリット上部前立て縫合部２６及び貫通式クッションホルダー裏上スリット上部前立て縫合部２７と貫通式クッションホルダー上方縫合部３２及び貫通式クッションホルダー下方縫合部３３を縫合することが好ましい。
【００３０】また、図５は本発明の第１の実施形態の使用状態を示す図であり、図６は前記使用状態における当て布を用いた使用状態を示している。以下、図５、６を参照して、本発明の第１の実施形態における貫通式クッションホルダー及び貫通式向けクッション１の動作について説明する。第１貫通式クッションホルダー７及び第２貫通式クッションホルダー８にはイボ状の突起物２をそれぞれ第１貫通式クッションホルダーの貫通式用クッションカバー６及び第２貫通式クッションホルダーの貫通式用クッションカバー６側に向けて貫通式向けクッション１を挿入して一対の表スリットと一対の裏スリットを折り返し、股間部のクッションホルダー間から男性器のみ露出することで、下半身の保温効果を維持することができる。
【００３１】さらに、第１貫通式クッションホルダー７下部の折り返し部分３４と第２貫通式クッションホルダー８下部の折り返し部分３５を、陰嚢を挟み込まないよう横から恥骨へ宛がい。その状態で男性器をピストン運動によって刺激し、同時に折り返した第１貫通式クッションホルダー７及び第２貫通式クッションホルダー８を圧迫することで貫通式向けクッション１の密着した部分へ圧迫による刺激を与えることが可能である。
【００３２】また、貫通式クッションホルダー表上スリット根元縫合部２３と第１貫通式クッションホルダー上端縫合部２９間の第１貫通式クッションホルダー上縁１３及び貫通式クッションホルダー裏上スリット根元縫合部２４と第２貫通式クッションホルダー上端縫合部２８間の第２貫通式クッションホルダー上縁１５に縫合されていない間隔部を設けているので、第１貫通式クッションホルダー７及び第２貫通式クッションホルダー８を折り返した際に、縫合されていない間隔部に、貫通式クッションホルダー表上スリット根元縫合部２３と貫通式クッションホルダー裏上スリット根元縫合部２４をそれぞれ差し込むように折り返すことで、貫通式クッションホルダー表上スリット根元縫合部２３及び貫通式クッションホルダー裏上スリット根元縫合部２４が起き上がった状態で維持されるので、クッションの折り返し部分に厚みができることでクッション性が高まり、男性器を刺激するピストン運動によってクッションが圧迫された際の恥骨周辺に対する刺激を適切なものにすることができる。
【００３３】また、貫通式クッションホルダーにおける一対のスリットの根元を上スリットのみ縫合することで貫通式クッションホルダー上部のみ固定されので、男性器を刺激するピストン運動によって貫通式クッションホルダーを圧迫した際に貫通式クッションホルダー下部が振動しやすくなり、貫通式向けクッションの密着部に振動刺激を与えやすくすることができる。
【００３４】さらに、第１貫通式クッションホルダー下端縫合部３０及び第２貫通式クッションホルダー下端縫合部３１において、貫通式クッションホルダー表下スリット１７根元付近及び貫通式クッションホルダー裏下スリット２１根元付近を縫合しないことにより、折り返した第１貫通式クッションホルダー７及び第２貫通式クッションホルダー８を男性器を刺激するピストン運動によって圧迫した際、第１貫通式クッションホルダー下部の折り返し部分３４及び第２貫通式クッションホルダー下部の折り返し部分３５の圧迫を分散させ、貫通式クッションホルダー向けクッションを振動しやすくすることで貫通式クッションホルダー向けクッション１の密着部に振動刺激を与えやすくすることができる。また、第１貫通式クッションホルダー下部の折り返し部分３４及び第２貫通式クッションホルダー下部の折り返し部分３５の圧迫を分散させることで睾丸を圧迫し痛めてしまうことを防ぐことができる。
【００３５】また、図６の示すように、折りたたむなどして厚みを持たせたトイレットペーパー３６を男性器の付け根から恥骨までと貫通式クッションホルダー下面の間に挟み込んだ状態で使用することで、ローションを用いて男性器をピストン運動で刺激する際に、男性器から垂れてしまうローションを当て布が吸収し、本発明にローションが付着する事態を防ぐことができる。また、当て布を挟み込むことで、クッションホルダーとの隙間を埋めて密着性を補助できる。
【００３６】また、第１貫通式クッションホルダー上縁縫合部９から第１貫通式クッションホルダー下縁縫合部１０までの幅と、第２貫通式クッションホルダー上縁縫合部１１から第２貫通式クッションホルダー下縁縫合部１２の幅はクッションの短辺ａより１ｃｍ短くし、貫通式クッションホルダー向けクッション１が貫通式クッションホルダーに僅かな弓なりの状態で挿入されることで、男性器のピストン運動によって折り返したクッションが圧迫された際、弓なりのクッションが広がり押し出されながら折り返したクッションが恥骨周辺を圧迫するので吸い付くような刺激を得ることができる。
【００５４】    また、以下は本発明における第２の実施形態について図１４、１５を参照して説明する。図１４は本発明の第２の実施形態を示した正面図であり、図１５は同実施形態において前開き可能な密着性の高い男性用下半身衣類５を裏返した状態の正面図である。図１４、１５が示すように本発明における第２の実施形態は、前述の第１の実施形態において、貫通式クッションホルダー上方縫合部３２と貫通式クッションホルダー下方縫合部３３を縫合せず、上スリットと下スリットをそれぞれシート状ゴムで補強したものである。
【００５５】  以下は、本発明の第２の実施形態における表上シート状ゴム６１と裏上シート状ゴム６２上部の構成について具体的に説明する。表上シート状ゴム６１と裏上シート状ゴム６２は短辺が６ｃｍ長辺が１４ｃｍ程度の大きさをした長方形のシート状ゴムである。まず、長辺を第１貫通式クッションホルダー７及び第２貫通式クッションホルダー８と平行にした表上シート状ゴム６１及び裏上シート状ゴム６２で上スリットを挟み込む。この際、表上シート状ゴム６１及び裏上シート状ゴム６２が上スリットより下部へ２ｃｍ程度はみ出ていることが好ましく。はみ出した表上シート状ゴム６１の下部において第１貫通式クッションホルダー７と重ならない部分と、上スリットより下部にはみ出した裏上シート状ゴム６２において第２貫通式クッションホルダー８と重ならない部分に関しては切り落としている。
【００５６】以下は、本発明の第３の実施形態における表上シート状ゴム６１と裏上シート状ゴム６２上部の構成について具体的に説明する。表上シート状ゴム６１と裏上シート状ゴム６２は短辺が６ｃｍ長辺が１４ｃｍ程度の大きさをした長方形のシート状ゴムである。まず、長辺を第１貫通式クッションホルダー７及び第２貫通式クッションホルダー８と平行にした表上シート状ゴム６１及び裏上シート状ゴム６２で上スリットを挟み込む。この際、表上シート状ゴム６１及び裏上シート状ゴム６２が上スリットより下部へ２ｃｍ程度はみ出ていることが好ましく。はみ出した表上シート状ゴム６１の下部において第１貫通式クッションホルダー７と重ならない部分と、上スリットより下部にはみ出した裏上シート状ゴム６２において第２貫通式クッションホルダー８と重ならない部分に関しては切り落としている。
【００５７】表上シート状ゴム６１の下部を第１貫通式クッションホルダー上端縫合部２９と第２貫通式クッションホルダー上端縫合部２８と重なる部分を小用開口部表生地３と小用開口部裏生地４と裏上シート状ゴム６２を縫合して、上シート状ゴムクッションホルダー上端左側縫合部６５と上シート状ゴムクッションホルダー上端右側縫合部６６を形成し。さらに、上シート状ゴム貫通式クッションホルダー上端左側縫合部６５と上シート状ゴム貫通式クッションホルダー上端右側縫合部６６の外側の両端から表上シート状ゴム６１の上端まで、表上シート状ゴム６１、小用開口部表生地３、小用開口部裏生地４、裏上シート状ゴム６２を縫合し、上シート状ゴム左前立て縫合部６７と上シート状ゴム右前立て縫合部６８を形成している。この際、表上シート状ゴム６１及び裏上シート状ゴム６２が伸張せず、また弛んでいない状態で縫合することが好ましい。
【００５８】また、小用開口部左側面縫合部２０に添って表上シート状ゴム６１、小用開口部表生地３、裏上シート状ゴム６２を貫通式クッションホルダー裏上スリットｇより縫合し、同縫合部と上シート状ゴム左前立て縫合部６７間の表上シート状ゴム６１を山折りにした折り目を小用開口部左側面縫合部２０に添って、小用開口部裏生地４、裏上シート状ゴム６２と縫合した上シート状ゴム左側面山折り縫合部７１を形成し、上シート状ゴム左側面山折り縫合部７１から外側に１．５ｃｍの間隔を置いて貫通式クッションホルダー裏上スリットｇより上部を表上シート状ゴム６１、左股上生地７２、裏上シート状ゴム６２を縦に縫合している。同様にして、小用開口部右側面縫合部１９に添って、貫通式クッションホルダー表上スリット２２より上部で表上シート状ゴム６１、小用開口部表生地３、裏上シート状ゴム６２を縫合し、同縫合部と上シート状ゴム右前立て縫合部６８間の表上シート状ゴム６１を山折りにした折り目を、小用開口部右側面縫合部１９に添って、小用開口部表生地３、裏上シート状ゴム６１と縫合した上シート状ゴム右側面山折り縫合部７３を形成し、上シート状ゴム右側面山折り縫合部７３から外側に１．５ｃｍの間隔を置いて貫通式クッションホルダー表上スリット２２より上部で表上シート状ゴム６１、右股上生地７４、裏上シート状ゴム６２を縦に縫合している。
【００５９】  以下は、本発明の第２の実施形態における表下シート状ゴム６３と裏下シート状ゴム６４の下部の構成について具体的に説明する。表下シート状ゴム６３と裏下シート状ゴム６４は短辺が６ｃｍ長辺が１２ｃｍ程度の大きさをした長方形のシート状ゴムである。まず、長辺を第１貫通式クッションホルダー７及び第２貫通式クッションホルダー８と平行にした表下シート状ゴム６３及び裏下シート状ゴム６４で下スリットを挟み込み、表下シート状ゴム６３と裏下シート状ゴム６４の上部が２ｃｍ程度はみ出た状態で第１貫通式クッションホルダー下端縫合部１０と第２貫通式クッションホルダー下端縫合部１２に重なる部分で表下シート状ゴム６３、小用開口部表生地３、小用開口部裏生地４を縫合した裏下シート状ゴム６４下シート状ゴム貫通式クッションホルダー下端左側縫合部７５と下シート状ゴム貫通式クッションホルダー下端右側縫合部７６を形成している。この際、表下シート状ゴム６３及び裏下シート状ゴム６４が伸張せず、また弛んでいない状態であることが好ましい。
【００６０】次に、下シート状ゴム貫通式クッションホルダー下端左側縫合部７５と下シート状ゴム貫通式クッションホルダー下端右側縫合部７６間の表下シート状ゴム６３を山折りにし、折り目を下シート状ゴム貫通式クッションホルダー下端左側縫合部７５内側の端より下部から表下シート状ゴム６３の下端まで表下シート状ゴム６３と小用開口部表生地３を縫合し、表下シート状ゴム中央表生地縫合部７７を形成しており。表下シート状ゴム中央表生地縫合部７７と下シート状ゴムクッションホルダー下端右側縫合７６間の表下シート状ゴム６３を山折りにし、折り目を下シート状ゴム貫通式クッションホルダー下端右側縫合部７６内側の端から表下シート状ゴム６３の下端まで表下シート状ゴム６３、小用開口部表生地３、小用開口部裏生地４を縫合して表下シート状ゴム中央表裏生地縫合部７８を形成している。
【００６１】この際、表下シート状ゴム中央表生地縫合部７７と表下シート状ゴム中央表裏生地縫合部７８間より５ｍｍ程度広い幅の板状ポリ塩化ビニル７９を表下シート状ゴム中央表生地縫合部７７及び表下シート状ゴム中央表裏生地縫合部７８の折り目に挟み込んだ状態で表下シート状ゴム中央表生地縫合部７７と表下シート状ゴム中央表裏生地縫合部７８を縫合することが好ましく。表下シート状ゴム中央表生地縫合部７７表下シート状ゴム中央表裏生地縫合部７８間において小用開口部表生地３と小用開口部裏生地４は弛んで谷折りの状態となっている。
【００６２】また、小用開口部左側面縫合部２０に添って、貫通式クッションホルダー裏下スリット２１から表下シート状ゴム６３の下端まで表下シート状ゴム６３、小用開口部表生地３、小用開口部裏生地４、裏下シート状ゴム６４を縫合した下シート状ゴム左側面表裏生地縫合部８０を形成し、下シート状ゴム左側面表裏生地縫合部８０から外側に１ｃｍの間隔を置いて、表下シート状ゴム６３、左股上生地７２、裏下シート状ゴム６４を縦に縫合した下シート状ゴム左端縫合部８１と下シート状ゴム左側面表裏生地縫合部８０間の表下シート状ゴム６３を山折りにした折り目を下シート状ゴム左端縫合部８１へ重ねて表下シート状ゴム６３、左股上生地７２、裏下シート状ゴム６４を縫合している。
【００６３】同様にして、小用開口部右側面縫合部１９に添って貫通式クッションホルダー表下スリット１７から表下シート状ゴム６３の下端まで、表下シート状ゴム６３、小用開口部表生地３、小用開口部裏生地４、裏下シート状ゴム６４を縫合した下シート状ゴム右側面表裏生地縫合部８２を形成し、下シート状ゴム右側面表裏生地縫合部８２から外側に１ｃｍの間隔を置いて、表下シート状ゴム６３、右股上生地７４、裏下シート状ゴム６４を縫合した下シート状ゴム右端縫合部８３と下シート状ゴム右側面表裏生地縫合部８２間の表下シート状ゴム６３を山折りにした折り目を下シート状ゴム右端縫合部８３へ重ねて表下シート状ゴム６３、右股上生地７４、裏下シート状ゴム６４を縫合している。
【００６４】図１４に示されているように第１貫通式クッションホルダー７の第１貫通式クッションホルダー上縁縫合部９と第１貫通式クッションホルダー下縁縫合部１２おいては、表上シート状ゴム６１の下部と表下シート状ゴム６３の上部を第１貫通式クッションホルダー７に密着させた状態で、表上シート状ゴム６１及び表下シート状ゴム６３を第１貫通式クッションホルダー上縁縫合部９と第１貫通式クッションホルダー下縁縫合部１０に重なる部分で貫通式用クッションカバー６、小用開口部表生地３と縫合し、表上シート状ゴム下縁縫合部８４と表下シート状ゴム上縁縫合部８５を形成しており。
【００６５】加えて、小用開口部表生地３の前立て側から幅１ｃｍ長さ１０ｃｍの板状ゴム６９を表上シート状ゴム下縁縫合部８４と表下シート状ゴム上縁縫合部８５に重ねて縫合している。この際、表上シート状ゴム下縁縫合部８４と重ねて縫合している板状ゴム６９においては貫通式クッションホルダー表上スリット根元縫合部２３の下部にあたる部分を縫合しないことが好ましい。
【００６６】また、表上シート状ゴム６１においては第１貫通式クッションホルダー上縁１３が形成されるように貫通式クッションホルダー表上スリット２２を第１貫通式クッションホルダー７と同じ深さで切り込んでおり、表下シート状ゴム６３では第１貫通式クッションホルダー下縁１４が形成されるように貫通式クッションホルダー表下スリット１７を第１貫通式クッションホルダー７と同じ深さで切り込んでいる。
【００６７】同様にして、第２貫通式クッションホルダー８の第２貫通式クッションホルダー上縁縫合部１１と第２貫通式クッションホルダー下縁縫合部１２においては、裏上シート状ゴム６２の下部と裏下シート状ゴム６４の上部を第２貫通式クッションホルダー８に密着させた状態で、裏上シート状ゴム６２及び裏下シート状ゴム６４を第２貫通式クッションホルダー上縁縫合部１１、第２貫通式クッションホルダー下縁縫合部１２と重なる部分を貫通式用クッションカバー６、小用開口部裏生地４と縫合し、裏上シート状ゴム下縁縫合部８６と裏下シート状ゴム上縁縫合部８７を形成しており。
【００６８】さらに、小用開口部裏生地４の前立て側から幅１ｃｍ長さ１０ｃｍの板状ゴム６９を裏上シート状ゴム下縁縫合部８６と裏下シート状ゴム上縁縫合部８７に重ねて縫合している。この際、裏上シート状ゴム下縁縫合部８６と重ねて縫合している板状ゴム６９においては貫通式クッションホルダー裏上スリット根元縫合部２４の下部にあたる部分を縫合しないでおくことが好ましい。
【００６９】そして、裏上シート状ゴム６２においては第２貫通式クッションホルダー上縁１５が形成されるように貫通式クッションホルダー裏上スリットｇを第２貫通式クッションホルダー８と同じ深さで切り込んでおり。表下シート状ゴム６３では第２貫通式クッションホルダー下縁１６が形成されるように貫通式クッションホルダー裏下スリット２１を第２貫通式クッションホルダー８と同じ深さで切り込んだ男性用下半身衣類である。
【００７０】    以下は本発明の第１の実施形態と比較して第２の実施形態の作用について説明する。表下シート状ゴム中央表生地縫合部７７表下シート状ゴム中央表裏生地縫合部７８間において、小用開口部表生地３と小用開口部裏生地４が弛んで谷折りの状態となっていることにより、貫通式クッションホルダーの下スリットの根元に弛みができ、クッションを折り返し男性器を刺激するピストン運動で圧迫されることによる負荷で、スリットの根元が伸びて裂けてしまうのを防ぐことができる。
【００７１】表上シート状ゴム下縁縫合部８４、表下シート状ゴム上縁縫合部８５、裏上シート状ゴム下縁縫合部８６、裏下シート状ゴム上縁縫合部８７に板状ゴム６９を重ねて縫合することで図５、６の示すように第１貫通式クッションホルダー７及び第２貫通式クッションホルダー８を折り返した際、板状ゴム６９の弾性によりクッションの折り返しが戻ろうとするため、ピストン運動によって圧迫を繰り返し受けてもクッションの折り返し部分の厚みとクッション性を保つことができる。
【００７２】また、下シート状ゴム貫通式クッションホルダー下端右側縫合部７６内側の端から表下シート状ゴム６３の下端まで表下シート状ゴム６３、小用開口部表生地３、小用開口部裏生地４を縫合した表下シート状ゴム中央表裏生地縫合部７８によって、第２貫通式クッションホルダー８が前開き可能な密着性の高い男性用下半身衣類５に固定されることで、貫通式クッションホルダー向けクッション１を挿入してスリットを折り返した際に貫通式クッションホルダー向けクッション１の恥骨への密着を向上させることができる。
【００７３】表下シート状ゴム中央表生地縫合部７７では表下シート状ゴム中央表裏生地縫合部７８と比べて、小用開口部裏生地４と下シート状ゴム貫通式クッションホルダー下端左側縫合部７５と重なった小用開口部表生地３を縫合しないことで、貫通式クッションホルダー向けクッション１を挿入してスリットを折り返した第１貫通式クッションホルダー７及び第２貫通式クッションホルダー８を圧迫した際、前述した表下シート状ゴム中央表生地縫合部７７の縫合していない部分へ圧迫した力が逃げるため、下シート状ゴム貫通式クッションホルダー下端左側縫合部７５から貫通式クッションホルダー向けクッション１を挿入した第１貫通式クッションホルダー７全体を振動させることができる。
【００７４】また、上シート状ゴム左側面山折り縫合部７１、上シート状ゴム右側面山折り縫合部７３、下シート状ゴム左端縫合部８１、下シート状ゴム右端縫合部８３のように第１貫通式クッションホルダー７と第２貫通式クッションホルダー８の上部及び下部の小用開口部の両端をシート状ゴムで挟み込んで縫合し、外側へ間隔を置いて前開き可能な密着性の高い男性用下半身衣類５をシート状ゴムで挟み込んで縫合した前記二つの縫合間における表シート状ゴムを山折りにして折り目を外側の縫合部と重なるように縫合して第１貫通式クッションホルダー７と第２貫通式クッションホルダー８の上部及び下部の小用開口部表生地３及び小用開口部裏生地４の端を固定することで、第１貫通式クッションホルダー上端縫合部２９と、第１貫通式クッションホルダー下端縫合部３０と、第２貫通式クッションホルダー上端縫合部２８と、第２貫通式クッションホルダー下端縫合部３１を伸張させた状態で維持している。前記作用により、第１貫通式クッションホルダー７と第２貫通式クッションホルダー８の一対のスリットを折り返しても、第１貫通式クッションホルダー上端縫合部２９、第１貫通式クッションホルダー下端縫合部３０、第２貫通式クッションホルダー上端縫合部２８、第２貫通式クッションホルダー下端縫合部３１を弛ませずに貫通式クッションホルダー向けクッション１を恥骨や鼠径部へ密着させて振動刺激を的確に伝えることができる。
【００７５】上記男性用下半身衣類及びクッションは、男性器を刺激する単一のピストン運動のみによって、男性器の付け根及び下腹部を副次的に刺激することを可能にするものであり、さらに、圧迫刺激や摩擦刺激と同時にクッションの振動によって振動刺激を与えることができる。また、着衣した状態で使用するため下半身の保温性を保つことが可能である。
【産業上の利用可能性】
【００７６】上述の発明は男性器をピストン運動によって男性器を刺激する際に鼠径リンパ節もマッサージ可能な健康向上衣類として利用可能である。
【符号の説明】
【００７７】１  貫通式クッションホルダー向けクッション
２  イボ状の突起物
３  小用開口部表生地
４  小用開口部裏生地
５  前開き可能な密着性の高い男性用下半身衣類
６  貫通式用クッションカバー
７  第１貫通式クッションホルダー
８  第２貫通式クッションホルダー
９  第１貫通式クッションホルダー上縁縫合部
１０  第１貫通式クッションホルダー下縁縫合部
１１  第２貫通式クッションホルダー上縁縫合部
１２  第２貫通式クッションホルダー下縁縫合部
１３  第１貫通式クッションホルダー上縁
１４  第１貫通式クッションホルダー下縁
１５  第２貫通式クッションホルダー上縁
１６  第２貫通式クッションホルダー下縁
１７  貫通式クッションホルダー表下スリット
１８  小用開口部表生地前立て下部の付け根
１９  小用開口部右側面縫合部
２０  小用開口部左側面縫合部
２１  貫通式クッションホルダー裏下スリット
２２  貫通式クッションホルダー表上スリット
２３  貫通式クッションホルダー表上スリット根元縫合部
２４  貫通式クッションホルダー裏上スリット根元縫合部
２５  貫通式クッションホルダー表上スリット上部前立て
２６  貫通式クッションホルダー表上スリット上部前立て縫合部
２７  貫通式クッションホルダー裏上スリット上部前立て縫合部
２８  第２貫通式クッションホルダー上端縫合部
２９  第１貫通式クッションホルダー上端縫合部
３０  第１貫通式クッションホルダー下端縫合部
３１  第２貫通式クッションホルダー下端縫合部
３２  貫通式クッションホルダー上方縫合部
３３  貫通式クッションホルダー下方縫合部
３４  第１貫通式クッションホルダー下部の折り返し部分
３５  第２貫通式クッションホルダー下部の折り返し部分
３６  トイレットペーパー
６１  表上シート状ゴム
６２  裏上シート状ゴム
６３  表下シート状ゴム
６４  裏下シート状ゴム
６５  上シート状ゴム貫通式クッションホルダー上端左側縫合部
６６  上シート状ゴム貫通式クッションホルダー上端右側縫合部
６７  上シート状ゴム左前立て縫合部
６８  上シート状ゴム右前立て縫合部
６９  板状ゴム
７１  上シート状ゴム左側面山折り縫合部
７２  左股上生地
７３  上シート状ゴム右側面山折り縫合部
７４  右股上生地
７７  表下シート状ゴム中央表生地縫合部
７８  表下シート状ゴム中央表裏生地縫合部
７９  板状ポリ塩化ビニル
８０  下シート状ゴム左側面表裏生地縫合部
８１  下シート状ゴム左端縫合部
８２  下シート状ゴム右側面表裏生地縫合部
８３  下シート状ゴム右端縫合部
８４  表上シート状ゴム下縁縫合部
８５  表下シート状ゴム上縁縫合部
８６  裏上シート状ゴム下縁縫合部
８７  裏下シート状ゴム上縁縫合部
ａ  クッションの短辺
ｂ  クッションの長辺
ｃ  貫通式クッションカバーの縦幅
ｇ  貫通式クッションホルダー裏上スリット
【図１】
0005888650.tif 000002
【図２】
0005888650.tif 000003
【図３】
0005888650.tif 000004
【図４】
0005888650.tif 000005
【図５】
0005888650.tif 000006
【図６】
0005888650.tif 000007
【図７】
0005888650.tif 000008
【図８】
0005888650.tif 000009
【図９】
0005888650.tif 000010
【図１０】
0005888650.tif 000011
【図１１】
0005888650.tif 000012
【図１２】
0005888650.tif 000013